(57)【要約】【課題】  １対の絞り部材が容易に平行を保つことができ、かつ対向する方向に十分な力を発揮することができ、しかもチューブ等の絞り対象物との干渉を回避することを可能にする絞り器を提供する。【解決手段】  チューブを絞るための１対のローラ４，５が回転自在に取り付けられた１対のフレーム２，３が、ケース１内に収容されている。チューブ末端部３０２を、ケース１の開口部８を通じて、１対のローラ４，５の間に挿入した後、手指の操作により、１対の操作部材１４，１５を互いに接近するように動かす。そうすると、１対の楔１２，１３が摺動することにより、１対のフレーム２、３は水平方向に押し出され、ケース１の上下の内側斜面に沿って摺動し、１対のローラ４，５でチューブを挟み込む。ダイアル１９を廻すと、ローラ５が回転し、チューブ３００が繰り出され、内容物が絞り出される。【選択図】図１
2011046433.tif 000002
【特許請求の範囲】
【請求項１】
絞り対象物を挟む１対の絞り部材と、
前記１対の絞り部材の一方又は双方を、当該１対の絞り部材の対向面の長手方向からわずかに傾斜した方向に並進するように案内することにより、前記対向面を互いに平行に保ちつつ、前記１対の絞り部材を開閉させる案内部材と、を備える絞り器。
【請求項２】
前記傾斜した方向が、前記長手方向に対して３°から１５°の範囲である請求項１に記載の絞り器。
【請求項３】
前記１対の絞り部材が開く方向に、当該１対の絞り部材の前記一方又は前記双方を付勢する弾性体を、さらに備える請求項１又は２に記載の絞り器。
【請求項４】
人力又は動力を前記長手方向の力に変換して、前記１対の絞り部材が閉じるように前記１対の絞り部材の一方又は双方に伝える伝達機構を、さらに備える請求項１ないし３のいずれかに記載の絞り器。
【請求項５】
前記伝達機構は、前記長手方向に略垂直方向に案内されることにより前記１対の絞り部材の一方又は双方を並進させる楔（くさび）を有する、請求項４に記載の絞り器。
【請求項６】
前記伝達機構は、前記楔に固定され、手操作により当該楔を前記長手方向の略垂直方向に動かすための楔操作部材をさらに有する、請求項５に記載の絞り器。
【請求項７】
前記伝達機構は、カムと、当該カムに固定され手操作により当該カムを回動させるカム操作部材とを有し、前記カムの回動により前記１対の絞り部材の一方又は双方を並進させるものである、請求項４に記載の絞り器。
【請求項８】
前記伝達機構は、前記カム操作部材が第１のレバーであり、前記手操作の支えとなる第２レバーをさらに有し、これら第１及び第２レバーを手で握ることにより、前記第１レバーの前記手操作を可能とするものである、請求項７に記載の絞り器。
【請求項９】
前記第１及び第２レバーは、前記１対の絞り部材の一端部付近から、前記１対の絞り部材の前記長手方向に略直交する方向に突出している請求項８に記載の絞り器。
【請求項１０】
前記１対の絞り部材の各々の前記長手方向の両端部に、相手の並進を案内するように前記案内部材が設けられ、前記１対の絞り部材は、自身に設けられた前記案内部材を含めて、互いに同一形状に形成されている請求項１又は２に記載の絞り器。
【請求項１１】
鋸歯状突起列と当該突起列に係合する爪又は鋸歯状突起列とを有することにより、前記１対の絞り部材が開くように前記１対の絞り部材の一方又は双方が逆戻りする動きを妨げる戻り止め部材をさらに備える、請求項１ないし１０のいずれかに記載の絞り器。
【請求項１２】
前記１対の絞り部材の各々は回転自在のローラを有し、
前記１対の絞り部材の一方は、自身に属するローラに連結し、当該ローラを手動で回転させるためのローラ操作部材をさらに有している請求項１ないし１１のいずれかに記載の絞り器。
【請求項１３】
前記１対の絞り部材の各々は、前記対向面が、絞り対象物の繰り出し方向に沿って互いに接近するように傾斜しており、当該方向に沿って厚みを増す弾性部材を有する請求項１ないし１１のいずれかに記載の絞り器。
【請求項１４】
絞り対象物を挟む１対の絞り部材と、
前記１対の絞り部材を手動ないし動力により開閉する開閉機構と、
を備え、
前記１対の絞り部材の各々は、互いに対向する面が、絞り対象物の繰り出し方向に沿って互いに接近するように傾斜しており、当該方向に沿って厚みを増す弾性部材を有する絞り器。
【発明の詳細な説明】
【技術分野】
【０００１】
本発明は、チューブ絞りに好適な絞り器に関する。
【背景技術】
【０００２】
従来、チューブ絞り器として、特許文献１の図１〜図４に開示されるものが知られている。この従来技術によるチューブ絞り器は、支点の周りに開閉自在の１対のローラでチューブを挟み、１対のローラの軸方向に延びる１対の取手を片方の手の指で挟持することにより、１対のローラに十分な押圧力を付加しつつ、一方のローラに連結するハンドルを他方の手の指で廻すことにより、ローラを回転させるものである。このチューブ絞り器では、押圧力を保ちつつ回転する１対のローラによりチューブを送り出すことができ、それにより内容物を絞り出すことが可能となっている。
【０００３】
しかしながら、この従来技術によるチューブ絞り器は、１対のローラが支点の周りに開閉するものであるために、１対のローラを互いの間隔に依存することなく平行に保つことが困難である、という問題点があった。これに対して、特許文献１の図５に開示されるチューブ絞り器は、１対のローラを互いの間隔によらずに平行に保つことを可能にする。しかし、このチューブ絞り器は、ローラによって繰り出されるチューブの末端が、ハンドルを挟持する片方の手と干渉するために使いづらい、という問題点があった。
【先行技術文献】
【特許文献】
【０００４】
【特許文献１】特開２００６−１６０３６５号公報
【発明の概要】
【発明が解決しようとする課題】
【０００５】
本発明は上記の問題点に鑑みてなされたもので、例えば１対のローラを有する１対の絞り部材が容易に平行を保つことができ、かつ対向する方向に十分な力を発揮することができ、しかもチューブ等の絞り対象物との干渉を回避することを可能にする絞り器を提供することを目的とする。
【課題を解決するための手段】
【０００６】
上記課題を解決し上記目的を達成するために、本発明のうち第１の態様に係るものは、絞り器であって、絞り対象物を挟む１対の絞り部材と、前記１対の絞り部材の一方又は双方を、当該１対の絞り部材の対向面の長手方向からわずかに傾斜した方向に並進するように案内することにより、前記対向面を互いに平行に保ちつつ、前記１対の絞り部材を開閉させる案内部材と、を備えるものである。
【０００７】
この構成によれば、案内部材によって１対の絞り部材を、その対向面を平行を保ちつつ開閉することが可能である。しかも案内部材は、１対の絞り部材の一方又は双方を、対向面の長手方向からわずかに傾斜した方向に並進するように案内することにより１対の絞り部材を開閉させるので、１対の絞り部材の一方又は双方に対して長手方向に付与した力が、１対の絞り部材を閉じる方向に増倍されて伝えられる。また、１対の絞り部材を閉じるための力を、長手方向に付与することができるので、力を付与する手の位置、又は力を付与する部材の位置を、１対の絞り部材に挟まれる絞り対象物と干渉しない位置に容易に選ぶことができる。
【０００８】
本発明のうち第２の態様に係るものは、第１の態様に係る絞り器であって、前記傾斜した方向が、前記長手方向に対して３°から１５°の範囲であるものである。
【０００９】
この構成によれば、１対の絞り部材の一方又は双方が並進する方向が、対向面の長手方向に対して３°から１５°の範囲であるので、１対の絞り部材の一方又は双方に対して長手方向に付与された力が、摩擦力に抗しつつ、かつ１対の絞り部材の一方又は双方の長手方向への移動を適量に抑えつつ、１対の絞り部材を閉じる方向に適度に増倍されて伝えられる。
【００１０】
本発明のうち第３の態様に係るものは、第１又は第２の態様に係る絞り器であって、前記１対の絞り部材が開く方向に、当該１対の絞り部材の前記一方又は前記双方を付勢する弾性体を、さらに備えるものである。
【００１１】
この構成によれば、弾性体により１対の絞り部材が開く方向に、１対の絞り部材の一方又は双方が付勢されるので、１対の絞り部材を開閉させるときに、閉じる方向にのみ力を付与すれば足り、付与する力を解除ないし弱めることによって開くことができる。すなわち操作性が向上する。
【００１２】
本発明のうち第４の態様に係るものは、第１ないし第３のいずれかの態様に係る絞り器であって、人力又は動力を前記長手方向の力に変換して、前記１対の絞り部材が閉じるように前記１対の絞り部材の一方又は双方に伝える伝達機構を、さらに備えるものである。
【００１３】
この構成によれば、1対の絞り部材の対向面の長手方向以外の方向に人力又は動力を付与することにより、１対の絞り部材を閉じることができる。
【００１４】
本発明のうち第５の態様に係るものは、第４の態様に係る絞り器であって、前記伝達機構は、前記長手方向に略垂直方向に案内されることにより前記１対の絞り部材の一方又は双方を並進させる楔（くさび）を有するものである。
【００１５】
この構成によれば、楔を操作することにより、１対の絞り部材の一方又は双方を並進させることができるので、操作性が良好である。
【００１６】
本発明のうち第６の態様に係るものは、第５の態様に係る絞り器であって、前記伝達機構は、前記楔に固定され、手操作により当該楔を前記長手方向と略垂直方向に動かすための楔操作部材をさらに有するものである。
【００１７】
この構成によれば、楔操作部材を操作することにより、楔を１対の絞り部材の対向面の長手方向と略垂直方向に動かすことができ、それにより楔を通じて１対の絞り部材の一方又は双方を並進させることができるので、操作性が良好である。
【００１８】
本発明のうち第７の態様に係るものは、第４の態様に係る絞り器であって、前記伝達機構は、カムと、当該カムに固定され手操作により当該カムを回動させるカム操作部材とを有し、前記カムの回動により前記１対の絞り部材の一方又は双方を並進させるものである。
【００１９】
この構成によれば、カム操作部材を操作することにより、カムを通じて１対の絞り部材の一方又は双方を並進させることができるので、操作性が良好である。
【００２０】
本発明のうち第８の態様に係るものは、第７の態様に係る絞り器であって、前記伝達機構は、前記カム操作部材が第１のレバーであり、前記手操作の支えとなる第２レバーをさらに有し、これら第１及び第２レバーを手で握ることにより、前記第１レバーの前記手操作を可能とするものである。
【００２１】
この構成によれば、第１及び第２レバーを手で握ることにより、１対の絞り部材の一方又は双方を並進させることができるので、操作性が良好である。
【００２２】
本発明のうち第９の態様に係るものは、第８の態様に係る絞り器であって、前記第１及び第２レバーは、前記１対の絞り部材の一端部付近から、前記１対の絞り部材の前記長手方向に略直交する方向に突出しているものである。
【００２３】
この構成によれば、第１及び第２レバーが１対の絞り部材の一端付近から、対向面の長手方向に略直交する方向に突出しているので、操作性がさらに良好である。
【００２４】
本発明のうち第１０の態様に係るものは、第１又は第２の態様に係る絞り器であって、前記１対の絞り部材の各々の前記長手方向の両端部に、相手の並進を案内するように前記案内部材が設けられ、前記１対の絞り部材は、自身に設けられた前記案内部材を含めて、互いに同一形状に形成されているものである。
【００２５】
この構成によれば、相手の絞り部材の並進を案内するように、案内部材が１対の絞り部材の各々の対向面の長手方向両端部に設けられているので、構造が簡素であり、かつ１対の絞り部材は、自身に設けられた前記案内部材を含めて、互いに同一形状に形成されているので、製造工程が簡素化される。
【００２６】
本発明のうち第１１の態様に係るものは、第１ないし第１０のいずれかの態様に係る絞り器であって、鋸歯状突起列と当該突起列に係合する爪又は鋸歯状突起列とを有することにより、前記１対の絞り部材が開くように前記１対の絞り部材の一方又は双方が逆戻りする動きを妨げる戻り止め部材をさらに備えるものである。
【００２７】
この構成によれば、戻り止め部材により、１対の絞り部材の一方又は双方が逆戻りする動きが妨げられるので、１対の絞り部材が閉じるようにこれら１対の絞り部材の一方又は双方に一旦付加された力を除去しても、１対の絞り部材の開閉状態が維持される。このため、絞り対象物を絞る期間にわたって力を付加する必要がなく、人力又は動力を節減することができる。
【００２８】
本発明のうち第１２の態様に係るものは、第１ないし第１１のいずれかの態様に係る絞り器であって、前記１対の絞り部材の各々は回転自在のローラを有し、前記１対の絞り部材の一方は、自身に属するローラに連結し、当該ローラを手動で回転させるためのローラ操作部材をさらに有しているものである。
【００２９】
この構成によれば、ローラ操作部材を手操作により回転させることにより、絞り対象物を容易に繰り出すことができる。すなわち高い操作性が実現する。
【００３０】
本発明のうち第１３の態様に係るものは、第１ないし第１１のいずれかの態様に係る絞り器であって、前記１対の絞り部材の各々は、前記対向面が、絞り対象物の繰り出し方向に沿って互いに接近するように傾斜しており、当該方向に沿って厚みを増す弾性部材を有するものである。
【００３１】
この構成によれば、対象物としてのチューブを絞るときに、対向面が互いに近接し、チューブへの押圧力を強めてゆくのに伴い、絞り出しに要する特定の強さの圧力がチューブの末端に近い側から吐出口に近い側へ移動する。それにより、チューブを繰り出すことなく、チューブの内容物を絞り出すことができる。しかも、チューブの大きさと、チューブの長手方向に沿った１対の絞り部材の対向面の幅とによって定まる一定体積の内容物を、一回の押圧によって取り出すことができる。一回の押圧の後にチューブを末端方向に繰り出し、さらに押圧するという過程を繰り返すことによって、一定体積の復数倍の内容物を絞り出すことも可能となる。
【００３２】
本発明のうち第１４の態様に係るものは、絞り器であって、絞り対象物を挟む１対の絞り部材と、前記１対の絞り部材を手動ないし動力により開閉する開閉機構と、を備え、前記１対の絞り部材の各々は、互いに対向する面が、絞り対象物の繰り出し方向に沿って互いに接近するように傾斜しており、当該方向に沿って厚みを増す弾性部材を有するものである。
【００３３】
この構成によれば、本発明の第１３の態様に係る絞り器について記載したところと同様の作用及び効果を奏する。開閉機構は、本発明の各態様に係る絞り器の案内部材や伝達機構に限られない。特許文献１に記載のものを含めた従来の絞り器、その他の新規な絞り器など、様々な種類の絞り器の開閉機構を含むものである。
【発明の効果】
【００３４】
以上のように本発明によれば、１対の絞り部材が容易に平行を保つことができ、かつ対向する方向に十分な力を発揮することができ、しかもチューブ等の絞り対象物との干渉を回避することが可能となる。
【図面の簡単な説明】
【００３５】
【図１】本発明の実施の形態１による絞り器の構成を示す図であり、（ａ）は外観斜視図、（ｂ）は内部正面図、（ｃ）は部分斜視図である。
【図２】図１のローラの別の形態を例示する側面図である。
【図３】本発明の実施の形態２による絞り器の構成を示す図であり、（ａ）は外観斜視図、（ｂ）は内部正面図、（ｃ）は部分斜視図である。
【図４】本発明の実施の形態３による絞り器の構成を示す図であり、（ａ）は外観斜視図、（ｂ）は内部正面図、（ｃ）は部分斜視図である。
【図５】本発明の実施の形態４による絞り器の構成を示す図であり、（ａ）は外観斜視図、（ｂ）は内部正面図、（ｃ）は部分斜視図である。
【図６】本発明の実施の形態５による絞り器の構成を示す図であり、（ａ）は外観斜視図、（ｂ）は内部正面図、（ｃ）は部分断面図、（ｄ）は部分斜視図である。
【図７】本発明の実施の形態６による絞り器の構成を示す図であり、（ａ）は外観斜視図、（ｂ）は内部正面図である。
【図８】本発明の実施の形態７による絞り器の構成を示す図であり、（ａ）は外観斜視図、（ｂ）は内部正面図、（ｃ）は内部平面図である。
【図９】本発明の実施の形態８による絞り器の構成を示す図であり、（ａ）は内部正面図、（ｂ）は部分内部斜視図である。
【図１０】本発明の実施の形態９による絞り器の構成を示す図であり、（ａ）は外観斜視図、（ｂ）は内部正面図である。
【図１１】本発明の実施の形態９による絞り器の構成を示す図であり、（ａ）は部分斜視図、は部分内部側面図、（ｃ）は部分内部平面図、（ｄ）は部分断面図である。
【図１２】本発明の実施の形態１０による絞り器の構成を示す図であり、（ａ）は外観斜視図、（ｂ）は内部正面図である。
【図１３】本発明の実施の形態１１による絞り器の構成を示す図であり、（ａ）は外観斜視図、（ｂ）は内部正面図である。
【図１４】本発明の実施の形態１２による絞り器の構成を示す正面外観図である。
【図１５】本発明の実施の形態１３による絞り器の構成を示す図であり、（ａ）は外観斜視図、（ｂ）は部分内部側面図、（ｃ）は内部正面図である。
【図１６】本発明の実施の形態１４による絞り器の構成を示す図であり、（ａ）は外観斜視図、（ｂ）は内部正面図、（ｃ）は部分断面図である。
【図１７】本発明の実施の形態１５による絞り器の構成を示す図であり、（ａ）は外観斜視図、（ｂ）は一部平面図、（ｃ）は変形例を示す一部平面図である。
【図１８】本発明の実施の形態１６による絞り器の構成を示す図であり、（ａ）は一部を２点鎖線で表した外観斜視図、（ｂ）及び（ｃ）は一部外観斜視図である。
【図１９】本発明の各実施の形態による絞り器の１対の絞り部材について、別の例を示す断面図である。
【発明を実施するための形態】
【００３６】
（実施の形態１）
図１は、本発明の実施の形態１による絞り器の構成を示す図であり、図１（ａ）は外観斜視図、図１（ｂ）は内部正面図、そして図１（ｃ）は部分斜視図である。本実施の形態及び以下の実施の形態において、上、下、左、右、前、後、水平、垂直という方向ないし位置の表現は、正面図を基準としており、例えば本実施の形態では図１（ｂ）を基準とした表現である。
【００３７】
この絞り器２０１では、ケース１の中に下フレーム２及び上フレーム３が収容されている。ケース１は、６方に平板状の壁を有する略６面体を成している。これらの壁を、下方壁、上方壁、前方壁、後方壁、左方壁、及び右方壁と称する。ケース１の上方壁と下方壁は水平に近く緩やかに傾斜しており、同じく緩やかに傾斜する下フレーム２の下面と上フレーム３の上面が、ケース１の下方壁の内表面、すなわち内側（うちがわ）下面、及び上方壁の内表面、すなわち内側下面に摺動可能に当接している。下フレーム２と上フレーム３は、スプリング２１および２２によって、ケース１の下方壁及び上方壁に押圧されている。下フレーム２及び上フレーム３は、それぞれの対向面から内部へと垂直に穿設（せんせつ）された垂直孔１６、１７と、これらの垂直孔１６，１７に挿入されたピン１８とによって、水平方向の相対的な位置が規制されている。
【００３８】
下フレーム２には下ローラ４が回転軸６、７を介して回転自在に取り付けられている。同様に、上フレーム３には上ローラ５が回転軸１０、１１を介して回転自在に取り付けられている。回転軸１１は一端がローラ５に固定されており、他端に固定されたダイアル１９を手操作で回転させることにより、ローラ５を回転駆動することができる。ケース１には、ローラ４、５の間隙が前方及び後方に露出するように、前方壁および後方壁に開口部８が水平方向に長く形成されている。開口部８の縦方向の幅は、ローラ４，５の最大間隔よりも大きく設定されている。
【００３９】
下フレーム２及び上フレーム３の左側面は、垂直に近い斜面を成している。これらの斜面には、１対の片刃型の楔（くさび）１２，１３の傾斜した刃面が摺動可能に当接している。楔１２，１３は、ケース１内に収容され、かつその平坦な背面が、ケース１の左方壁の内表面、すなわち内側左側面に沿うことにより、垂直に摺動可能となっている。楔１２、１３の背面には、ケース１の左方壁に形成された開口部を通じてケース１の外部に水平に突出する棒状の操作部材１４、１５が、それぞれ固定されている。楔１２、１３は、操作部材１４、１５の間に取り付けられたスプリング２３によって、互いに離れる方向に付勢されている。スプリング２３は、座屈を回避するために、直径を大きくしたり、円錐型や鼓型や紡錘型の形状にしたりしても良い。
【００４０】
ケース１の下方壁及び上方壁のうち、左方壁に隣接する部分には、楔１２、１３を外部に突出させるための開口部が形成されている。上フレーム３の右側面と、これに対向するケース１の右方壁の内表面、すなわち内側（うちがわ）右側面との間には、回転軸１１を包囲するようにスプリング２０が介挿されている。このスプリング２０によって、上フレーム３が楔１３の方へ押圧され、さらにピン１８を介して下フレーム２も楔１２の方へ押圧されている。ケース１の右方壁は、スプリング２０の一端を支持するとともに、回転軸１１を挿通させ、かつ上フレーム３の動きに従って回転軸１１が上下に移動するのを妨げないように、縦長のスリット（図示略）を有している。
【００４１】
ケース１は、例えば上下一対のプラスチック成型品を接着することにより形成される。１対のフレーム２、３、及び操作部材１４、１５を含む１対の楔１２、１３は、それぞれ互いに同一形状に形成され、例えばいずれもプラスチック成形加工により形成される。１対のローラ４、５は、例えば、ゴム等の弾性を有する円柱状に形成されている。図２にローラ４Ａとして側面形状を例示するように、１対のローラ４、５は、周面に歯車状の凹凸を有するプラスチック等の円柱状であっても良い。
【００４２】
なお、絞り器２０１においては、下ローラ４及び上ローラ５は、本発明の１対の絞り部材に含まれる。また、ケース１は、本発明の案内部材に含まれる。下フレーム２、上フレーム３は、１対の絞り部材と案内部材の何れかに含まれる。また、楔１２，１３及び操作部材１４，１５は、本発明の伝達機構に含まれる。１対のローラ４、５の対向面の長手方向は、本発明の「１対の絞り部材の対向面の長手方向」に該当する。この方向は、１対のローラ４，５の軸方向、すなわち回転軸６，７，１０，１１の方向にも一致する。
【００４３】
以上のように構成される絞り器２０１は、チューブ絞りに好適であって、例えば次のように使用に供される。使用者は初めに、内容物を絞り出すべきチューブ３００（図１（ａ））の末端部３０２を、開口部８を通じて下ローラ４と上ローラ５との間に挿入する。ここでチューブ末端部３０２とは、チューブ口３０１とは反対側の端の部分である。操作部材１４、１５を一方の手の指で挟んで押圧すると、１対の楔１２、１３が互いに接近するように垂直方向に移動する。その結果、下フレーム２及び上フレーム３が、ケース１の内側下面及び内側上面によって案内され、水平方向からわずかに傾斜した斜め方向に摺動する。それに伴い、下ローラ４及び上ローラ５の間隔が狭くなり、チューブ３００の末端部３０２を押圧しつつ挟持するようになる。この状態で、他方の手の指でダイアル１９を回転させることにより、チューブ３００を手前側に繰り出すことができる。それに伴い、チューブ３００の内容物がチューブ口３０１から絞り出される。必要量の内容物が絞り出されると、一方の手の指の力を緩める。そうすると、スプリング２３の働きにより１対の楔１２、１３が互いに離れるように移動する。その結果、スプリング２０の働きにより、下フレーム２及び上フレーム３が楔１２、１３の側へ押し戻され、１対のローラ４、５の間隙が開く。それにより、使用者はチューブ３００を１対のローラ４、５の間から取り外すことが可能となる。
【００４４】
絞り器２０１では、１対のフレーム２，３がケース１の下方壁、上方壁をそれぞれ摺動することよって、１対のローラ４、５を、その対向面を平行に保ちつつ開閉することが可能である。しかもフレーム２，３は、水平方向から僅かに傾斜した斜め方向に並進することにより、１対のローラ４、５を開閉させるので、楔１２、１３によってフレーム２，３に付与される水平方向の力が、１対のローラ４、５を閉じる方向に増倍されて伝えられる。それに加え、手の指の力が楔１２、１３を通じて、フレーム２、３に伝えられるので、手の指の力が１対のローラ４、５を閉じる方向に、さらに増倍されて伝えられる。絞り器２０１を操作する手指は、１対のローラ４、５の左右方向の外方にある１対の操作部材１４、１５とダイアル１９に置かれる。このため、手指が絞り対象物としてのチューブ３００と干渉する恐れがない。
【００４５】
フレーム２，３に付与される力が、ケース１との摩擦力に抗しつつ、かつフレーム２、３の水平方向の移動量を適度に抑えつつ、力の増倍効果を発揮するために、下フレーム２の下面、上フレーム３の上面、及びケース１の内側上下面が水平面となす角度は、ある範囲内に設定されるのが望ましい。かかる角度は、望ましくは３°〜１５°の範囲、さらに好ましくは５°〜１０°の範囲、さらに好ましくは６°〜８°の範囲である。同様の理由により、１対のフレーム２，３の左側面と摺動する楔１２，１３の傾斜した刃面が垂直面である背面となす角度は、望ましくは３°〜１５°の範囲、さらに好ましくは５°〜１０°の範囲、さらに好ましくは６°〜８°の範囲である。
【００４６】
なお、操作部材１４、１５の形状は、図１では角柱であるが、例えば丸棒状など他の形状であっても良い。また、操作部材１４、１５を設けることなく、使用者が楔１２の下端面、楔１３の上端面を直接に指で押圧することにより、楔１２、１３を動かすようにしてもよい。この場合に、楔１２，１３がケース１から抜け落ちることを防ぐ係止部材として、操作部材１４、１５を、ケース１の左方壁の開口部端縁に係止可能な程度に短く設けても良い。また、以下の図面に例示する各実施の形態による絞り器も、絞り器２０１と同様に、チューブ絞りに好適なものである。
【００４７】
（実施の形態２）
図３は、本発明の実施の形態２による絞り器の構成を示す図であり、図３（ａ）は外観斜視図、図３（ｂ）は内部正面図、そして図３（ｃ）は部分斜視図である。この絞り器２０２は主として、ケース１がケース３１に置き換えられ、下フレーム２が下フレーム３２に、上フレーム３が上フレーム３３に置き換えられ、楔１２，１３及び操作部材１４、１５の代わりに、カム３４及びレバー３５が設けられている点で、実施の形態１による絞り器２０１とは異なっている。カム３４は略楕円柱状であり、略楕円形の両端面の長軸下端部付近に、回動軸３６を通じてレバー３５が固定されている。回動軸３６はケース３１の前方壁及び後方壁を貫通することにより、ケース３１に回動自在に取り付けられている。
【００４８】
下フレーム３２と上フレーム３３との水平方向の相対的な位置を規制するのに、ピン１８を用いることなく、同一形状に形成される下フレーム３２と上フレーム３３の噛み合い構造が用いられる。すなわち、下フレーム３２と上フレーム３３との左端部には、互いに噛み合うように垂直方向に凹凸が形成されており、一方の凸部が他方の凹部に進入している。一方の凸部は他方の凹部の壁面により、ダイアル１９へ向かう水平な動きが規制されている。また、一方の凹部の壁面は他方の凸部により、カム３４へ向かう水平な動きが規制されている。このようにして、下フレーム３２と上フレーム３３とは、互いに水平方向の相対的な動きが規制されている。カム３４及びレバー３５は、本発明の伝達機構に含まれる。
【００４９】
手指の操作によりレバー３５を矢印３０の方向に動かすと、カム３４が回動することにより、下フレーム３２と上フレーム３３が水平方向に押し出される。その結果、下フレーム３２と上フレーム３３とがケース３１の斜面をなす内側下面、内側上面に沿って摺動する。手指の力を緩めると、スプリング２０の弾性復元力により、下フレーム３２と上フレーム３３は元の位置に復帰する。なお、図３では回動軸３６はカム３４の下部に設けられているが、カム３４の上部に設けることにより、レバー３５の操作方向を逆にすることが可能となる。
【００５０】
絞り器２０２は以上のように構成されるので、レバー３５でカム３４を回動させるという簡素な機構で、１対のローラ４、５を、平行に保ちつつ開閉することができる。絞り器２０２では、１対のフレーム３２、３３の水平方向の相対的な動きを規制するために、噛み合い構造を採っているが、絞り器２０１と同様にピン１８を用いても良い。また逆に、絞り器２０１に絞り器２０２の噛み合い構造を採用しても良い。
【００５１】
（実施の形態３）
図４は、本発明の実施の形態３による絞り器の構成を示す図であり、図４（ａ）は外観斜視図、図４（ｂ）は内部正面図、そして図４（ｃ）は部分斜視図である。この絞り器２０３は主として、ケース１がケース４１に置き換えられ、下フレーム２が下フレーム４２に、上フレーム３が上フレーム４３に置き換えられ、楔１３、操作部材１５及びスプリング２３が除かれている点で、実施の形態１による絞り器２０１とは異なっている。上フレーム４３は、ケース４１の内側上部、例えば内側上面に、例えば接着によって固定されている。
【００５２】
下フレーム４２は、下フレーム２（図１）と同様に、ケース４１の内側下面に沿って摺動する。下フレーム４２の上方への動きを規制するために、下フレーム４２の前面及び背面にはピン４６が突出するように埋設されている。ピン４６は、下フレーム４２を貫通するものであってもよい。図４の例では、ピン４２は左右２箇所に設けられている。ケース４１の下方壁付近の前方壁及び後方壁には、ピン４２を案内するスリット４９が形成されている。スリット４９の幅は、ピン４２の直径よりも広く形成され、下フレーム４２は下方向にはケース４１の内側下面によって規制され、上方向にのみピン４２とスリット４９との当接によって規制される。下フレーム４２のダイアル１９側の側面と、これに対向するケース４１の内側右側面との間には、スプリング４７が介挿されている。このスプリング４７によって、下フレーム４２が楔１２の方へ押圧されている。スプリング４７は、座屈を回避するために、直径を大きくしたり、円錐型や鼓型や紡錘型の形状にしたりしても良い。
【００５３】
手指の操作により操作部材１４を上方向に動かすと、楔１２の働きにより、下フレーム４２がケース４１の内側下面に沿って摺動する。その結果、下ローラ４と上ローラ５との間隔が狭まる。手指の力を緩めると、スプリング４７の弾性復元力により、下フレーム４２は元の位置に復帰する。楔１２を下方に引き戻すスプリング（図示略）を設ける場合には、スプリング４７の復元力は、より弱いもので足りる。
【００５４】
絞り器２０３は、一個の楔１２を操作部材１４の操作により動かすという簡素な機構で、１対のローラ４、５を、平行に保ちつつ開閉することができる。上ローラ５は固定され、下ローラ４のみが動くために、１対のローラ４、５は水平方向に位置ずれを生じるが、それらの対向面が平行に保持される点では、絞り器２０１と変わりがない。
【００５５】
絞り器２０３では、下フレーム４２の上方向の動きを規制するために、左右一対のピン４６とスリット４９を設けているが、ピン４６とスリット４９とを、中央部の一箇所にのみ設けても良い。また、スリット４９の幅をピン４２の直径と略同一にして、下フレーム４２がケース４１の内側下面から浮いた状態で、ピン４６とスリット４９によって上下両方向に規制されるようにしても良い。この場合には、ケース４１の下方壁は本発明の案内部材としては機能せず、代わりにピン４６と、ケース４１の前方壁、後方壁に設けられたスリット４９とが、案内部材に含まれる。すなわち、斜面を成すスリット４９の長手方向内周面に沿ってピン４６が摺動することによって、下フレーム４２が案内される。また、上フレーム４３を設けることなく、外側ケース４１に直接に上ローラ５を取り付けても良い。
【００５６】
（実施の形態４）
図５は、本発明の実施の形態４による絞り器の構成を示す図であり、図５（ａ）は外観斜視図、図５（ｂ）は内部正面図、そして図５（ｃ）は部分斜視図である。この絞り器２０４は主として、ケース４１がケース５１に置き換えられ、下フレーム４２が下フレーム５２に、楔１２及び操作部材１４が、カム５４及びレバー５５に置き換えられている点で、実施の形態３による絞り器２０３とは異なっている。
【００５７】
下フレーム５２は、下フレーム４２（図４）と同様に、ケース５１の内側下面に沿って摺動する。下フレーム５２の上方への動きを規制するために、ピン４６が用いられている。カム５４は例えば略楕円形の略４半分を断面とする柱状であり、略楕円形の中心付近に、回動軸５６が設けられている。回動軸５６はケース５１の前方壁及び後方壁の貫通孔に挿入されることにより、ケース５１に回動自在に取り付けられている。カム５４には、回動軸５６付近の基端部から伸びるようにレバー５５が固定されている。レバー５５は、垂直下方よりもダイアル１９に近づくように斜めに伸びている。ケース５１には、カム５４側の側端部、すなわち左端部から下方に伸びるレバー５７が連結している。このレバー５７とレバー５５とを手で握り、握力を付加することにより、レバー５５がレバー５７に接近するように回動する。それに伴って回動するカム５４によって、下フレーム５２がケース５１の内側下面に沿って右方向に摺動する。握力を緩めると、スプリング４７の弾性復元力により、下フレーム５２は元の位置に復帰する。
【００５８】
このように絞り器２０４は、２本のレバー５５，５７を手で握ることにより、１対のローラ４、５を容易に開閉させることができるので、操作性が良好である。特に、２本のレバー５５，５７が、略垂直下方に伸びるように設けられるので、他方の手でダイアル１９を回転させることによりチューブ等の絞り対象物を手前に繰り出し、内容物を前方に吐出させつつ、１対のローラ４、５に押圧力を容易に付加することができる。
【００５９】
（実施の形態５）
図６は、本発明の実施の形態５による絞り器の構成を示す図であり、図６（ａ）は外観斜視図、図６（ｂ）は内部正面図、図６（ｃ）は部分断面図、そして、図６（ｄ）は部分斜視図である。この絞り器２０５は主として、ケース５１がケース６１に置き換えられ、下フレーム５２が下フレーム６２に置き換えられ、カム５４及びレバー５５に代えて、レバー６５が設けられている点で、実施の形態４による絞り器２０４とは異なっている。レバー６５は、ダイアル１９側とは反対側の側端部、すなわち左端部から下方に伸びるように下フレーム６２に連結している。ケース６１には、ダイアル１９側とは反対側の側端部、すなわち左端部よりもダイアル１９寄りの部位から下方に伸びるレバー６７が連結している。
【００６０】
これらのレバー６７とレバー６５とを手で握り、握力を付加することにより、レバー６５がレバー６７に接近するように並進する。それに伴って下フレーム６２がケース６１の内側下面に沿ってダイアル１９の側に摺動する。握力を緩めると、後述する戻り止め部材が働かなければ、スプリング４７の弾性復元力により、下フレーム６２は元の位置に復帰する。このように絞り器２０５においても、絞り器２０４（図５）と同様に、垂直下方に伸びる２本のレバー６５，６７を手で握ることにより、１対のローラ４、５を容易に開閉させることができるので、操作性が良好である。
【００６１】
下フレーム６２の前面には、摺動方向に沿って鋸歯状突起列６８が形成されている。ケース６１の前方壁には、鋸歯状突起列６８に対向する部位に爪６４を有する係止板６０が設けられている。係止板６０は、長手方向中央付近で架橋部８０を通じて枠体７０に連結されており、それにより枠体７０に支持されている。枠体７０は、ケース６１の前方壁に設けられた開口部に、例えば接着により取り付けられている。係止板６０及び枠体７０は、プラスチック成形加工により一体的に形成可能である。図６（ｃ）に例示するように、鋸歯状突起列６８と爪６４は、互いに噛み合うように配置されている。また、鋸歯状突起列６８と爪６４の断面の輪郭形状は、１対のローラ４、５が閉じる方向への下フレーム６２の摺動を許し、その逆の動きを妨げるように、略直立した面と斜面との組合せとなっている。そして、架橋部８０の弾性により、爪６４は鋸歯状突起列６８に押圧されている。係止板６０のうち、架橋部８０に対して爪６４とは反対側を指で押圧することにより、爪６４を鋸歯状突起列６８から浮かすことができる。爪６４を含む係止板６０，枠体７０及び鋸歯状突起列６８は、本発明の「戻り止め部材」に含まれる。
【００６２】
握力を付加することにより１対のローラ４、５が閉じる方向に下フレーム６２が一旦移動すると、鋸歯状突起列６８が爪６４に係止されることにより、握力を緩めても下フレーム６２の摺動位置が維持される。このため、絞り対象物であるチューブを絞る期間にわたって握力を付加する必要がないので、チューブを楽に絞ることができる。下フレーム６２を初期位置に戻すには、架橋部８０に対して爪６４とは反対側の係止板６０の部分を指で押圧することにより、係止状態を解除すれば良い。
【００６３】
なお、鋸歯状突起列６８及び爪６４等を有する戻り止め部材は、ケース２０５の前方壁だけでなく、後方壁、下方壁など他の部位に設置することも可能である。また、絞り器２０５だけでなく、絞り器２０１をはじめ、他の実施の形態による絞り器にも設置可能である。
【００６４】
（実施の形態６）
図７は、本発明の実施の形態６による絞り器の構成を示す図であり、図７（ａ）は外観斜視図、そして図７（ｂ）は内部正面図である。この絞り器２０６は主として、ケース３１がケース７１に置き換えられ、カム３４がカム７４に置き換えられ、レバー３５がダイアル７５に置き換えられている点で、実施の形態２による絞り器２０２とは異なっている。カム７４は、回動軸７６の周りの角度にとともに半径が拡大する形状の端面を有する柱状を成している。カム７４には回動軸７６が固定されており、回動軸７６にはダイアル７５が固定されている。回動軸７６はケース７１の前方壁及び後方壁を貫通することにより、ケース７１に回動自在に取り付けられている。それゆえ、ダイアル７５を回転させることにより、カム７４を回転させることができる。
【００６５】
手指の操作によりダイアル７５を反時計周りに回転させると、カム７４が回動することにより、下フレーム３２と上フレーム３３が水平方向に押し出される。その結果、下フレーム３２と上フレーム３３とがケース７１の斜面を成す内側上面、内側下面に沿って摺動する。手指の力を緩めると、スプリング２０の弾性復元力により、下フレーム３２と上フレーム３３は元の位置に復帰する。カム７４が略渦巻き状の端面を有するので、有効な回転角を３／４回転ほどの広い範囲に設定することができる。カム７４が広い角度で回転することから、ケース７１はケース３１に比べて、カム７４を収容するスペースが広くなっている。
【００６６】
図７の例では、１対のローラ４、５の間隔が最大となる１対のフレーム３２，３３の初期位置から、最小となる最大移動位置まで、１対のフレーム３２、３３の移動位置に対応する番号がダイアル７５の面上に印字され、番号の読み取り位置を示す目印７４が、ダイアル７５付近のケース７１の前方壁外表面、すなわち外側前面の特定箇所に付されている。使用者は、絞るべきチューブの種類に応じて、適度な押圧力を付与する移動位置に対応する番号を記憶しておき、記憶した番号を目印に合わせることにより、毎回適度な押圧力をチューブに付与することができる。
【００６７】
（実施の形態７）
図８は、本発明の実施の形態７による絞り器の構成を示す図であり、図８（ａ）は外観斜視図、図８（ｂ）は内部正面図、そして図８（ｃ）は内部平面図である。この絞り器２０７は主として、ケース７１がケース８１に置き換えられ、下フレーム３２が下フレーム８２に置き換えられ、上フレーム３３が上フレーム８３に置き換えられ、上ローラ５がダイアル１９だけでなく、電力により駆動可能となっている点で、実施の形態６による絞り器２０６とは異なっている。１対のフレーム８２，８３は、１対のフレーム３２，３３と同様に、互いに噛み合う構造によって、水平方向のずれを規制している。
【００６８】
上フレーム８３には、ローラ５の上方に、電池８５を収容する電池ボックス８４と、モータ８７を収容するモータ室８６が形成されている。モータ８７は、減速ギヤを内蔵する低速高トルクモータであり、電池８５が供給する電力により回転し、例えばプーリとベルトと回転軸１０を通じて、上ローラ５を回転駆動する。回転軸１０は、上ローラ５に固定されている。電池８５の電力を伝える電池ボックス８４の配線とモータ８７との間には、スイッチ８８が介挿される。スイッチ８８は、例えばスイッチボタン９０がケース８１の上方壁から突出するように、ケース８１のカム７４の収容室内に取り付けられている。スイッチ８８は例えばトグルスイッチであり、スイッチボタン９０を押下する度にオン又はオフする。電池８５の上方に対応するケース８１の上方壁には、電池８５の交換を可能にするための開閉蓋が取り付けられている。
【００６９】
絞り器２０７は以上のように構成されるので、片方の手のみで、ダイアル７５とスイッチボタン９０とを操作することにより、チューブ等の対象物を絞ることができる。なお、モータ８７の動力を上ローラ５に伝達する機構として、プーリとベルトとを例示したが、例えばギヤによる伝達機構など、他の機構を採ることも当然に可能である。また、上ローラ５に代えて、下ローラ４を駆動することも可能である。
【００７０】
（実施の形態８）
図９は、本発明の実施の形態８による絞り器の構成を示す図であり、図９（ａ）は内部正面図、そして図９（ｂ）は部分内部斜視図である。この絞り器２０８は主として、ケース７１がケース９１に置き換えられ、下フレーム３２が下フレーム９２に、上フレーム３３が上フレーム９３に、カム７４がカム９８に置き換えられ、下フレーム９２及び上フレーム９３がカム９８に連結するダイアル７５（図示略）だけでなく、電動により駆動可能となっている点で、実施の形態６による絞り器２０６とは異なっている。１対のフレーム９２、９３は、１対のフレーム３２，３３とは、寸法の相違を除いて同一形状に形成されている。
【００７１】
ケース９１では、カム９８を収容するスペースが広く確保され、当該収容室には、カム９８の他にモータ９４、電池８５及びスイッチ８８等が収容される。モータ９４は、減速ギヤを内蔵する低速高トルクモータである。電池８５とモータ９４との間には、スイッチ８８が介挿される。スイッチ８８をオンすると、モータ９４は電池８５が供給する電力により回転し、例えばピニオンギヤ９５とラックギヤ９６を通じて、１対のフレーム９２，９３のカム９８側の側面、すなわち左側面を押すことにより、１対のフレーム９２，９３を並進させる。ラックギヤ９６は、例えばモータ９４の上面に設けられ、ラックギヤ９６を挿通する１対の案内板９７によって、軸方向に案内される。カム９８は、カム７４と同様に略渦巻き状の端面を有するが、図９（ｂ）に示すように、ラックギア９６及び案内板９７との干渉を回避するために、軸方向中央部において、回動軸７６から遠い径の大きい部分が切除されている。スイッチ８８をオフすると、１対のフレーム９２、９３は、スプリング２０の弾性復元力により、モータ９４による抵抗に抗して初期位置に戻る。ケース９１の左方壁には、電池８５の交換を可能にするための開閉蓋（図示略）が取り付けられている。
【００７２】
絞り器２０８は以上のように構成されるので、スイッチボタン９０とダイアル１９とを操作することにより、チューブ等の対象物を絞ることができる。絞り器２０７と絞り器２０８とを組み合わせることにより、１対のローラ４、５の開閉と回転との双方を、電力で駆動できるようにすることも当然可能である。
【００７３】
絞り器２０７，２０８は、手で持ち上げて使用するのに好適な形状、大きさを有しているが、卓上に設置しての使用に適するように、例えば、ケース９１の下方壁内表面、すなわち内側下面はそのままに緩やかな斜面としつつ、下方壁外表面すなわち外側下面を水平面に形成してもよい。また、大型のチューブ等を絞るために、１対のローラ４，５の長さを例えば３０センチメートル以上に長くすることも可能である。１対のローラ４，５が長いために、チューブ等を絞るときにたわみを生じる場合には、１対のローラ４，５の対向する側とは反対側に、ローラ４，５を個別に支持する例えば複数個の小ローラを、ローラ４，５の周面に当接するように間隔を置いて軸方向に沿って配列してもよい。これらの小ローラは、フレーム９２又は９３に回転自在に軸支され、ローラ４，５の回転に伴って回転する。また、大型の絞り器については、電池を電力源とする代わりに、商用電源（ＡＣ１００Ｖ等）を電力源として、例えば整流器及びインバータを介してモータを駆動することも可能である。
【００７４】
（実施の形態９）
図１０及び図１１は、本発明の実施の形態９による絞り器の構成を示す図であり、図１０（ａ）は外観斜視図、そして図１０（ｂ）は内部正面図である。また、図１１（ａ）は部分斜視図、図１１（ｂ）は部分内部側面図、図１１（ｃ）は部分内部平面図、そして図１１（ｄ）は部分断面図である。この絞り器２０９は主として、ケース３１がケース１０１に置き換えられ、下フレーム３２が下フレーム１０２に、上フレーム３３が上フレーム１０３に置き換えられ、カム３４及びレバー３５に代えて、カム３１８及びレバー１０７，１０８が設けられている点で、実施の形態２による絞り器２０２とは異なっている。１対のフレーム１０２、１０３は、１対のフレーム３２，３３とは、左側面から突起する突起部１０４、１０５を有する点を除いて同一形状に形成されている。
【００７５】
ケース１０１の左方壁には、突起部１０４，１０５が挿通する円形の開口部が設けられ、当該開口部を囲むように筒状体１０６が連結している。ケース１０１は筒状体１０６を含めて、例えば上下に分割したものをプラスチック成形加工により一体的に形成し、それらを例えば接着により貼り合わせることによって形成可能である。この筒状体１０６の外周にはレバー１０７の一端部をなす環状部３１２（図１１（ｄ））が回動可能に嵌め込まれている。図示を略するが、レバー１０７が筒状体１０６から外れないようにするには、様々な周知の構造を採り得る。レバー１０７には、回動軸１５０を介して別のレバー１０８が回動可能に取り付けられている。レバー１０８の一端部には、突起部１０４，１０５に接触するカム３１８を収容するカム収容部１０９が設けられている。
【００７６】
レバー１０７、１０８の他端部同士を手で握り、握力を加えることにより、レバー１０７に対してレバー１０８を回動させることができる。それに伴い、カム３１８が回動軸１５０の周りに回動する。図１１（ｃ）に示すように、カム３１８は、回動軸１５０を中心軸とする螺旋面１１０を有しており、この螺旋面１１０が突起部１０４、１０５の先端部に当接している。カム３１８が回動軸１５０の周りに回動することにより、カム３１８の螺旋面１１０が突起部１０４、１０５を押し出す。それに伴い、１対のフレーム１０２，１０３がケース１０１の上下の内側斜面、すなわち内側上面及び内側下面を摺動する。このとき、図１１（ｂ）に示すように、突起部１０４，１０５は互いに位置ずれを生じる。位置ずれが生じることにより、ケース１０１に対するレバー１０７の回動位置によっては、突起部１０４，１０５のうちの一方の先端部のみが螺旋面１１０に当接することとなる。しかし、突起部１０４，１０５のいずれか一方のみが螺旋面１１０によって押し出された場合であっても、１対のフレーム１０２、１０３の噛み合い構造によって、１対のフレーム１０２，１０３の双方が、位置ずれを起こすことなく揃って、ケース１０１の上下の内側斜面に沿って摺動する。
【００７７】
レバー１０７、１０８に付加する握力を緩めると、スプリング２０の弾性復元力によって、１対のフレーム１０２，１０３は初期位置に復帰し、レバー１０８も元の回動位置に戻る。このように絞り器２０９においても、絞り器２０４（図５）と同様に、１対のローラ４，５の軸方向に略垂直方向に伸びる２本のレバー１０７，１０８を手で握ることにより、１対のローラ４、５を容易に開閉させることができるので、操作性が良好である。また、レバー１０７に対して、ケース１０１を回動させることができるので、レバー１０７に対して、絞り対象物としてのチューブ等の向きを自在に選択することができる。
【００７８】
なお、図１０（ａ）に例示するように、レバー１０７，１０８に、例えば布製、革製などのベルトを取り付けると、手動でレバー１０７、１０８を開くことも可能となる。それにより、スプリング２０の弾性復力を弱くすることができ、チューブ等を絞るときに要する握力を、その分弱くすることが可能となる。
【００７９】
ケース１０１の回動位置を段階的に選択し易くするために、ケース１０１の筒状体１０６及びレバー１０７の環状部３１２には、回動位置保持部材３１１が設けられている。すなわち、ケース１０１の筒状体１０６の外周面には、周方向に沿って窪み３１７が、例えば１５°間隔で刻設されている。窪み３１７は筒状体１０６の軸方向に伸びるＶ字状の溝であっても良く、円錐状の孔であっても良い。レバー１０７の環状部３１２には、その内周と外周とを貫通する孔が形成されるとともに、この孔と連通し外方に突出する筒状体３１４が設けられている。筒状体３１４の外方端部は蓋３１６で封止され、内部にはピン３１３が挿入されており、ピン３１３は蓋３１６と自身との間に挿入されたスプリング３１５によって筒状体１０６の外周面に押圧されている。筒状体１０６の外周面に当接するピン３１３の先端部は、例えば円錐状であり、周方向の位置が一致すれば窪み３１７に落ち込み係合する。手操作によりケース１０１に周方向の力を付加すると、ピン３１３は容易に係合を脱して、ケース１０１の回動を可能にする。ピン３１３が窪み３１７に係合すると、ある程度の強さの周方向の力を付加しない限り、ケース１０１はレバー１０７に対する回動位置を維持する。このため、ケース１０１とレバー１０７との間の角度を、適切な大きさに容易に維持することができる。
【００８０】
絞り器２０９では、レバー１０７に対してケース１０１が回動可能に設けられたが、レバー１０７とケース１０１とを互いに固定しても良い。その角度は、絞り対象物としてのチューブ等を繰り出す方向とレバー１０７とが略４５°、例えば４０°から５０°の範囲となるように設定するのが、操作性を高める上で望ましい。また、絞り器２０９では、レバー１０７と１０８の握力を付加する力点と、カム３１８で突起部１０４，１０５を押す作用点とが、支点となる回動軸１５０に対して反対側に位置しているが、作用点の位置にあるカム３１８に対して、回動軸１５０と力点とが反対側に位置するように、絞り器２０９を変形することも可能である。
【００８１】
（実施の形態１０）
図１２は、本発明の実施の形態１０による絞り器の構成を示す図であり、図１２（ａ）は外観斜視図、そして図１２（ｂ）は内部正面図である。この絞り器２１０は主として、ケース６１がケース１１１に置き換えられ、下フレーム６２が下フレーム１１２に、上フレーム４３が上フレーム１１３に置き換えられ、レバー６５，６７に代えて、レバー１１４、１１７が設けられている点で、実施の形態５による絞り器２０５とは異なっている。
【００８２】
レバー１１４は、上フレーム１１３に連結しており、上フレーム１１３の左側端部から下方に延びている。レバー１１４には貫通孔１２０が、左右の壁面を貫通し、上下に延びるように形成されている。貫通孔１２０は、下フレーム１１２の左側端部を受け入れる。レバー１１４の貫通孔１２０の前後の壁板には、縦長のスリット１１６が形成されている。このスリット１１６は、下フレーム１１２の左側端部を前後に貫通するピン１１５を摺動可能に案内する。
【００８３】
レバー１１４の頭頂部付近には回動軸１１８が前後に貫通している。この回動軸１１８にはレバー１１７の一端が連結している。図１２の例では、レバー１１７は略Ｕ字型に折り曲げられた金属線で形成されている。ケース１１１の前方壁及び後方壁の外表面にはレバー１１７に当接可能な突起１１９が形成されている。手操作によりレバー１１７をレバー１１４の側に回動させることによって、ケース１１１を上フレーム１１３の上面に沿って摺動させることができる。それに伴い、下フレーム１１２がケース１１１の内側下面に沿いつつ、ピン１１５とスリット１１６とによって案内されて上方に移動する。それにより、１対のローラ４、５の間隔が狭くなってゆく。この動作は、ケース１１１を基準にして見れば、下フレーム１１２及び上フレーム１１３が、ケース１１１の上下の内側斜面、すなわち内側上面及び内側下面に沿って摺動することに他ならない。レバー１１４，１１７に付加する握力を緩めると、スプリング２０の弾性復元力によりケース１１１が初期位置に復帰する。このように絞り器２１０においても、絞り器２０４（図５）と同様に、略垂直下方に伸びる２本のレバー１１４，１１７を手で握ることにより、１対のローラ４、５を容易に開閉させることができるので、操作性が良好である。
【００８４】
（実施の形態１１）
図１３は、本発明の実施の形態１１による絞り器の構成を示す図であり、図１３（ａ）は外観斜視図、そして図１３（ｂ）は内部正面図である。この絞り器２１１は主として、ケース１１１がケース１２１に置き換えられ、レバー１１４が短い突出部１２８に置き換えられ、レバー１１７が除去され、ダイアル１９が上フレーム１１３の左側すなわち突出部１２８の側に設けられている点で、実施の形態１０による絞り器２１０とは異なっている。上フレーム１１３には上ローラ５が回転軸１２４、１２５を介して回転自在に取り付けられている。回転軸１２４の一端はローラ５に固定されており、他端に固定されたダイアル１９を手操作で回転させることにより、ローラ５を回転駆動することができる。
【００８５】
上フレーム１１３の右側面とケース１２１の内側右側面との間にはスプリング１２８が介挿され、ケース１２１を右方へ押圧する。回転軸１２５は上フレーム１１３の右側面から幾分突出し、対向するケース１２１の内側右側面に突起１２６が設けられ、これら回転軸１２５及び突起１２６によりスプリング１２８が逃げないように位置規制される。ケース１２１の外側右側面にはパッド１２７が貼り付けられている。パッド１２７は、ゴム等の柔軟な材料で形成されるのが望ましい。
【００８６】
使用者は、一方の手でダイアル１９を掴み、他方の手でパッド１２７を押すことにより、ケース１２１を上フレーム１１３の上面に沿って摺動させることができる。それにより、１対のローラ４、５の間隔が狭くなってゆく。見方を変えれば、下フレーム１１２及び上フレーム１１３が、ケース１２１の上下の内側斜面に沿って摺動する。パッド１２７に付加する押圧力を緩めると、スプリング２０の弾性復元力によりケース１２１が初期位置に復帰する。このように絞り器２１１では簡素な構造によって、１対のローラ４、５を容易に開閉させることができる。
【００８７】
（実施の形態１２）
図１４は、本発明の実施の形態１２による絞り器の構成を示す正面外観図である。この絞り器２１２は主として、ケース７１がケース１３１に置き換えられている点で、実施の形態６による絞り器２０６とは異なっている。ケース１３１では、開口部１３２がケース１３１の右端まで連続しており、それによりケース１３１の右端部が上下に切離されている。このため、チューブ等の絞り対象物を、ケース１３１の右端部を通じて１対のローラ４、５の間に出し入れすることも可能であり、操作性が良好である。
【００８８】
チューブ等を挟んでローラ４、５を閉じるときには、ケース１３１の右端部を上下に開くような応力がケース１３１に加わる。この応力によるケース１３１の変形を防ぐために、上下に分かれた右端部を開閉自在又は着脱自在に連結する補強部材１３９が、ケース１３１の上下に分かれた右方壁に取り付けられている。図１４の例では、補強部材１３９は箱の蓋を止める用途に日常多用される留め金と同様の構造のものである。すなわち、ケース１３１の右方壁下部に回動軸１３６が固定されており、この回動軸１３６にはレバー１３５が回動自在に取り付けられている。レバー１３５には矩形リング１３７が回動自在に取り付けられ、ケース１３１の右方壁上部には、突起するリング受け１３４が設けられている。矩形リング１３７をリング受け１３４に引っ掛け、レバー１３５を押し下げる（図上右回転させる）ことにより、ケース１３１の上下に分かれた右端部が矩形リング１３７を介して連結される。レバー１３５が押し下げられると、回動軸１３６と矩形リング１３７の取り付け位置との関係により、ケース１３１の右端部を開く力は、レバー１３５をさらに押し下げる方向に作用する。このため、ケース１３１の右端部を開く力によって補強部材１３９が解除されることがなく、安定的に連結状態が維持される。チューブ等を出し入れするときには、補強部材１３９を解除することにより、ケース１３１の右端部を通じての出し入れが可能となる。
【００８９】
なお、本実施の形態による絞り器２１２だけでなく、他の実施の形態による絞り器のケース、例えば絞り器２０１のケース１についても、開口部８を右端まで連続するように形成し、補強部材１３９を同様に適用することが可能である。また、これらの実施の形態において、ケース１の強度が十分であれば、開口部８を右端まで連続するように形成した場合であっても、補強部材１３９を設けないことも可能である。
【００９０】
（実施の形態１３）
図１５は、本発明の実施の形態１３による絞り器の構成を示す図であり、図１５（ａ）は外観斜視図、図１５（ｂ）は部分内部側面図、そして図１５（ｃ）は内部正面図である。この絞り器２１３は主として、レバー１０７、１０８に代えて、レバー１４６、１４７が設けられている点で、実施の形態９による絞り器２０９とは異なっている。
【００９１】
ケース１０１の筒状体１０６の外周には、レバー１４７の一部をなす環状部１５５が回動可能に嵌め込まれている。レバー１４７は更に、環状部１５５に隣接し、片刃型の楔（くさび）１４５の平坦な背面を摺動可能に案内する楔案内部１５６を有している。楔１４５の刃面は１対のフレーム１０２，１０３の突起部１０４，１０５の先端部に当接する。レバー１４７には、回動軸１４０を介して別のレバー１４６が回動可能に取り付けられている。レバー１４６は略Ｌ字型に屈曲しており、その一端部は楔１４５の基端面に当接可能となっている。
【００９２】
レバー１４６、１４７の他端部同士を手で握り、握力を加えることにより、レバー１４７に対してレバー１４６を回動させることができる。それに伴い、楔１４５が刃先側に前進する。楔１４５が前進することにより、楔１４５の刃面が突起部１０４、１０５を押し出す。それに伴い、１対のフレーム１０２，１０３の双方が、ケース１０１の上下の内側斜面に沿って摺動する。レバー１４７、１４６に付加する握力を緩めると、スプリング２０の弾性復元力によって、１対のフレーム１０２，１０３は初期位置に復帰し、レバー１４６も元の回動位置に戻る。
【００９３】
このように絞り器２１３においても、絞り器２０４（図５）、２０９（図１０）等と同様に、１対のローラ４，５の軸方向に略垂直方向に伸びる２本のレバー１４７，１４６を手で握ることにより、１対のローラ４、５を容易に開閉させることができるので、操作性が良好である。また、絞り器２０９と同様に、レバー１４７に対して、ケース１０１を回動させることができるので、レバー１４７に対して、絞り対象物としてのチューブ等の向きを自在に選択することができる。
【００９４】
（実施の形態１４）
図１６は、本発明の実施の形態１４による絞り器の構成を示す図であり、図１６（ａ）は外観斜視図、図１６（ｂ）は内部正面図、そして図１６（ｃ）は部分断面図である。この絞り器２１４では、ケース１６１の中に下絞り部材１６２及び上絞り部材１６３が収容されている。ケース１６１の上方壁は水平に近く緩やかに傾斜しており、同じく緩やかな斜面を形成する上絞り部材１６３の上面が、ケース１６１の内側上面に沿って摺動可能となっている。上絞り部材１６３の下方への動きを規制するために、上絞り部材１６３には、その前面及び背面から突出するようにピン１６７が埋設されている。ケース１６１の上方壁付近の前方壁及び後方壁には、ピン１６７を案内するスリット１６８が形成されている。スリット１６８の幅は、ピン１６７の直径よりも広く形成され、上絞り部材１６３は上方向にはケース１６１の内側上面によって規制され、下方向にのみピン１６７とスリット１６８との当接によって規制される。なお、絞り器２０３（図４）について述べた形態と同様に、スリット１５８の幅をピン１６７の直径と略同一にして、上絞り部材１６３を、ケース１６１の内側上面から下方に浮いた状態にして、ピン１６７とスリット１６８によって斜め方向に案内されるようにしてもよい。
【００９５】
上絞り部材１６３の右側面とケース１６１の内側（うちがわ）右側面との間にスプリング１７０が介挿されている。このスプリング１７０によって、上絞り部材１６３が左方へ押圧されている。上絞り部材１６３の左側面部分は、例えば垂直方向に突起部１６３Ａを設けることにより、手を添え易いように幅広に形成されている。
【００９６】
下絞り部材１６２は、ケース１６１の内側下面に、例えば接着剤等により固定されている。図１６の例では、１対の絞り部材１６２、１６３は、ローラを有することなく、図１６（ｃ）に示すように対向面１６４，１６５の断面形状が円弧状に突起している。対向面１６４，１６５の稜線は、互いに平行となっている。１対の絞り部材１６２，１６３は、例えばプラスチックで形成されている。
【００９７】
ケース１６１の前方壁の左右端部には、前方に突起し、左右に貫通孔を有する突起板１６０，１６９が形成されている。突起板１６０、１６９は、巻き取り部材１５１を支持するものである。巻き取り部材１５１は、軸１５４の胴部に軸方向に沿ったスリット１５３を有し、一端が先細（さきぼそ）となっており、他端には摘み１５２が連結している。突起板１６９の貫通孔は、軸１５４の一様な径を有する部分を遊挿し得る大きさである。他方の突起板１６０の貫通孔は、軸１５４の一様な径を有する部分よりも小さく設定されている。
【００９８】
使用者は初めに、巻き取り部材１５１の軸１５４を突起板１６０，１６９の貫通孔に挿入しておく。そして、例えば内容物を絞り出すべきチューブ３００の末端部３０２を、開口部８を通じて下絞り部材１６２と上絞り部材１６３との間に挿入し、チューブ末端部３０２を巻き取り部材１５１のスリット１５３に挿入する。次に、上絞り部材１６３の左側面を一方の手又は指で押すことにより、上絞り部材１６３がケース１６１の内側上面によって案内され、水平方向からわずかに傾斜した斜め方向に摺動する。それに伴い、１対の絞り部材１６２，１６３の間隔が狭くなり、チューブ３００を押圧しつつ挟持するようになる。この状態で、他方の手の指で巻き取り部材１５１の摘み１５２を回転させることにより、チューブ（図示略）を手前側に繰り出すことができる。それに伴い、チューブ３００の内容物がチューブ口３０１から絞り出される。
【００９９】
必要量の内容物が絞り出されると、一方の手指の力を緩める。そうすると、スプリング１７０の働きにより上絞り部材１６３は初期位置に復帰する。その後に、チューブ３００を巻き取り部材１５１から取り外しても良いが、取り外すことなく、巻き取り部材１５１の軸１５４の先細状の先端部を突起板１６０の貫通孔に押し込んでおくことにより、チューブ３００を同じ位置に保持し続けても良い。次回に内容物を取り出すときには、再び上絞り部材１６３を押し込んで、巻き取り部材１５１を突起板１６０の貫通孔から緩めて巻き上げると良い。このように、この絞り器２１４は、１つのチューブ３００を使い切るまで、当該チューブ専用として用いるのにも便宜である。
【０１００】
（実施の形態１５）
図１７は、本発明の実施の形態１５による絞り器の構成を示す図であり、図１７（ａ）は外観斜視図、図１７（ｂ）は一部平面図、そして図１７（ｃ）は変形例を示す一部平面図である。この絞り器２１５では、同一の形状を有する下絞り部材１７２及び上絞り部材１７３が、それらの左右端部で互いに斜め方向に摺動可能に係合している。すなわち、下絞り部材１７２の左端部上面には、緩やかに傾斜した断面略Ｔ型の案内部材１７４が連結しており、右端部上面には案内部材１７４と平行に傾斜し、案内部材１７４を抱き込む断面形状を有する案内部材１７５が連結している。１対の絞り部材１７２、１７３は、一方の案内部材１７５が他方の案内部材１７４と係合して摺動することにより、斜め方向に相対的に並進する。それにより、１対の絞り部材１７２、１７３は、対向面を互いに平行に維持したまま開閉する。また、１対の絞り部材１７２，１７３に、左右の側面から手の指等によって付加される水平方向の力が、チューブ等の絞り対象物に増倍されて伝達される。１対の絞り部材１７２、１７３の対向面は、図１７の例では、図１６の絞り器２１４と同様に、断面円弧状に突起している。
【０１０１】
下絞り部材１７２の左端部は上方に延びており、その上端部から右方向に向かって、内側に鋸歯状突起列を有する前後１対の係止板１７６が延びている。絞り部材１７２の右下端部では、左右に延びる帯状の領域にわたって、前後の面が内側に後退しており、この後退面１７７に鋸歯状突起列が形成されている。１対の絞り部材１７２、１７３は、互いに係合したときに、一方の係止板１７６の鋸歯状突起列が他方の後退面１７７の鋸歯状突起列と互いに噛み合う。係止板１７６及び後退面１７７の鋸歯状突起列の断面の輪郭形状は、１対の絞り部材１７２、１７３が閉じる方向へ摺動を許し、その逆の動きを妨げるように、略直立した面と斜面との組合せとなっている。すなわち、これら係止板１７６と後退面１７７とは、実施の形態５による絞り器２０５の鋸歯状突起列６８及び爪６４等と同様に、本発明の「戻り止め部材」の一形態に該当する。
【０１０２】
係止板１７６と後退面１７７との係止状態を解除するには、係止板１７６を指で前後に開くと良い。図１７（ｃ）に例示するように、係止板１７６の根元（ねもと）の部分に、係止板１７６の開閉を容易にするノッチ１７９を形成しても良い。下絞り部材１７２の左上端部にノッチ１７９によって形成される前後一対の半島状部分１８１を指で押さえることにより、係止板１７６を開いて、係止状態を容易に解除することができる。なお、係止板１７６及び後退面１７７は、前後面のうち一方にのみ形成されていても良い。また、係止板１７６及び後退面１７７とのうち、鋸歯状突起列は一方にのみ形成され、他方には例えば実施の形態５による絞り器２０５の爪６４と同様に、爪が形成されていても良い。
【０１０３】
下絞り部材１７２の左端部前面には、図１６に示した巻き取り部材１５１を挿入するための溝を有する突起板１８１が連結している。１対の絞り部材１７２，１７３が有する突起板１８１は、互いに同一形状である。巻き取り部材１５１の一様な径を有する軸１５４を、双方の突起板１８１の溝に挿入する。突起板１８１は幾分かの弾性変形を伴うことにより、摩擦力をもって巻き取り部材１５１の軸１５４を収容する。このため、実施の形態１４による絞り器２１４と同様に、絞り対象物としてのチューブ等を同じ位置に保持し続けることが可能である。
【０１０４】
なお、１対の絞り部材１７２、１７３は、案内部材１７４，１７５、係止板１７６等を含めて、プラスチック一体成形によって形成可能である。しかも、１対の絞り部材１７２、１７３は、互いに同一形状に形成されるので、実施の形態１による絞り器２０１の１対のフレーム２，３等と同様に、１つの成形用型を用いて成形することができ、製造コストを低く抑えることができる。
【０１０５】
（実施の形態１６）
図１８は、本発明の実施の形態１６による絞り器の構成を示す図であり、図１８（ａ）は一部を２点鎖線で表した外観斜視図、そして図１８（ｂ）、（ｃ）は一部外観斜視図である。この絞り器２１６では、同一の形状を有する下絞り部材３２１及び上絞り部材３２２が、それらの左右端部で案内部材３３５、３３６を通じて、互いに組み合わされている。１対の案内部材３３５，３３６も、互いに同一形状を有する。
【０１０６】
下絞り部材３２１は、断面略半円状の軸３２３と、その左端に連結し軸３２３よりも径の小さい断面略半円状の先端部３２６と、右端に連結し軸３２３よりも径が小さく、断面略半円状で先細状の先端部３２５とを有している。先端部３２５の平坦な底面３２７は、下絞り部材３２１の軸方向、すなわち対向面の長手方向に対して、緩やかに傾斜している。案内部材３３５は、断面略半円状の筒状体３３１と、断面略半円状で先細状の筒状体３３２とが、互いに略半円状の頂部で連結した形状を有している。案内部材３３５の平板状の下底３３３は上記連結部と平行であり、案内部材３３５の平板状の上底３３４は、上記連結部に対して緩やかに傾斜している。この傾斜角は、先端部３２５の底面３２７の傾斜角と同一に設定されている。筒状体３３１が内部に形成する空洞には、先端部３２６が挿入される。筒状体３３１と先端部３２６とは着脱可能であっても良く、互いに接着されていても良い。筒状体３３２が内部に形成する空洞には、先端部３２５が挿入される。
【０１０７】
互いに１対の絞り部材３２１，３２２の先端部３２６、３２５を案内部材３３５，３３６の対応する空洞に挿入することにより、図１８（ａ）に示すように１対の絞り部材３２１，３２２が組み合わせられた絞り器２１６が出来上がる。この絞り器２１６の使用者は初めに、１対の絞り部材３２１，３２２の間隔がある程度広くなるように、１対の絞り部材３２１，３２２の先細状の先端部３２５を、案内部材３３５，３３６の筒状体３３２の先細状の空洞に浅く挿入しておく。この状態で、１対の絞り部材３２１，３２２の間に、例えばチューブ３００を挿入する。その後、１対の絞り部材３２１，３２２の先細状の先端部３２５が、案内部材３３５，３３６の筒状体３３２の先細状の空洞に、より深く挿入されるように、左右の案内部材３３５，３３６を例えば両手により挟むようにして押し込む。それに伴い、先端部３２５の傾斜した底面３２７が、筒状体３３２の傾斜した上底３３４の内表面に対して摺動することにより、１対の絞り部材３２１，３２２が平行を保ちつつ、間隔を狭めてゆく。
【０１０８】
このように、本実施の形態の絞り器２１６においても、１対の絞り部材３２１，３２２を対向面の長手方向からわずかに傾斜した斜め方向に並進させることにより、これら絞り部材３２１，３２２を平行に保ちつつ開閉させることができる。また、１対の案内部材３３５、３３６に左右の側壁から手の指等によって付加される水平方向の力が増倍されて、チューブ３００に伝えられる。
【０１０９】
チューブ３００の絞りに適度な押圧力が得られたところで、チューブ３００の末端部３０２を引き出すことにより、チューブ３００の内容物を吐出させることができる。チューブ３００を必要分だけ絞り終えると、使用者は、１対の絞り部材３２１，３２２の先端部３２５を筒状体３３２の空洞から引き出し、チューブ３００に対する押圧力を緩めて、チューブ３００を１対の絞り部材３２１，３２２から取り出すことができる。
【０１１０】
なお、１対の絞り部材３２１、３２２は、それぞれプラスチック一体成形によって形成可能である。案内部材３３５，３３６も同様である。また、下絞り部材３２１と案内部材３３５、及び上絞り部材３２２と案内部材３３６を、一体のものとして成形することも可能である。この場合、筒状体３３１と先端部３２６とは別体ではなく、互いに区別することのできない一体のものとなる。何れの形態を採る場合であっても、下絞り部材３２１と案内部材３３５，及び上絞り部材３２２と案内部材３３６は、互いに同一形状であるから、製造コストを低く抑えることができる。
【０１１１】
１対の絞り部材３２１，３２２は、平坦な底面を有しているので、台上に置いて使用するのに便宜である。これに対して、１対の絞り部材３２１，３２２を、平坦な底面を有しない形状に形成することも可能である。また、案内部材３３５、３３６が有する空洞の断面形状についても、略半円状以外の形状を採ることが可能である。
【０１１２】
（その他の実施の形態）
（１）実施の形態１〜１３による絞り器２０１〜２１３では、チューブ３００等に当接する部材として、１対のローラ４，５を例示した。また、ローラ４及び５の別の一形態として、ローラ４Ａ（図２）を例示した。さらに、実施の形態１４〜１６による絞り器２１４〜２１６では、図１６（ｃ）に示す断面円弧状の対向面を有する絞り部材を例示した。これに対し、絞り器２０１〜２１３に、ローラ４，５に置き換えて、断面円弧状の対向面を有する絞り部材を用いても良い。逆に、絞り器２１４〜２１６の絞り部材に代えて、ローラ４，５（図２の形態を含めて）を用いても良い。
【０１１３】
さらには、図１６（ｃ）の断面円弧状の対向面に代えて、図１９に例示する断面形状をなす対向面を有するように絞り部材を構成しても良い。図１９（ａ）の例では、下絞り部材４０１と上絞り部材４０１の対向面の断面形状が、一方が円弧状に凹であり、他方が円弧状に凸である。図１９（ｂ）の例では、１対の絞り部材が、プラスチック等の基材４１１，４１３の上に、ゴム等の弾性部材４１２，４１４が固着されており、弾性部材４１２，４１４の対向面は、チューブ３００の長手方向に対して傾斜している。その結果、チューブ３００等を絞るときに、対向面が互いに近接し、チューブ３００への押圧力を強めてゆくのに伴い、絞り出しに要する特定の強さの圧力がチューブ３００の末端に近い側から吐出口に近い側へ移動する。それにより、チューブ３００を繰り出すことなく、チューブ３００の内容物を絞り出すことができる。しかも、チューブ３００の横幅と、チューブ３００の長手方向の弾性部材４１２，４１４の幅とによって定まる一定体積の内容物を、いわば「一押し（ひとおし）」で、取り出すことができる。一押し後にチューブ３００を後方に繰り出し、さらに一押しするという過程を繰り返すことによって、一定体積の復数倍の内容物を絞り出すことができる。
【０１１４】
図１９（ｃ）の例では１対の絞り部材が、図１９（ｂ）の例と同様に、プラスチック等の基材４２１，４２４の上に、ゴム等の弾性部材４２２，４２５が固着されており、弾性部材４２２，４２５の対向面は、チューブ３００の長手方向に対して傾斜している。弾性部材４２２，４２５の対向面にはさらに、プラスチック等の平坦な板材４２３，４２６が固着されている。この例においても、図１９（ｂ）の例と同様の効果が得られる。さらに、板材４２３，４２６が設けられているために、チューブ３００との間の摩擦力が、弾性部材４２２，４２５が直接に接触する場合よりも小さく、１対の絞り部材でチューブ３００を挟み込んだまま、手前側に引き出して絞り出すことも容易である。
【０１１５】
図１９（ｄ）の例では、１対の絞り部材が、プラスチック等の基材４３１，４３３の対向面の前端部（チューブ等の絞り対象物を迎える側の端部）から、互いに接近するように傾斜したプラスチック等の平坦な板材４３２，４３４が突出している。斜めに突出した１対の板材４３２，４３４が設けられることにより、チューブ３００等を押圧しつつ繰り出すときに、チューブ３００等の逆戻りを押さえることができる。
【０１１６】
図１９（ｅ）の例は、平坦な板材４３２，４３４に代えて、断面弧状の板材４４２，４４４が設けられている点において、図１９（ｄ）の例とは異なっている。この例においても図１９（ｄ）の例と同様の効果が得られる。なお、図１９（ａ）〜図１９（ｅ）の何れも、本実施の形態による絞り器２０１〜２１６だけでなく、特許文献１に記載のものを含めた従来の絞り器、その他の新規な絞り器など、様々な種類の絞り器に適用可能である。
【０１１７】
（２）上記各実施の形態による絞り器では、スプリングでローラ４，５等を開く方向に付勢し、スプリングの弾性復元力に抗して手動あるいは動力により閉じる方向に動かした。これとは逆に、スプリングでローラ４，５等を閉じる方向に付勢し、このスプリングの弾性復元力に抗して手動あるいは動力により開く方向に動かすように、絞り器を構成することも可能である。例えば、実施の形態１による絞り器２０１では、楔１２，１３とスプリング２０とを、左右逆に配置することにより実現し得る。
【０１１８】
（３）実施の形態１による絞り器２０１は、下フレーム２及び上フレーム３は、それらの下面及び上面が、ケース１の上下の内側斜面に沿って摺動することで、平行移動に伴う開閉動作を実現している。また、実施の形態３による絞り器２０３において、下フレーム４２をケース４１の内側下面から浮かせ、ピン４６をスリット４９に沿って摺動させることにより、並進させることも可能であった。また、実施の形態１５による絞り器２１５は、案内部材１７４，１７５が互いに斜面に沿って摺動することにより、１対の絞り部材１７２，１７３の平行移動に伴う開閉動作を実現している。
【０１１９】
幾つかの代表例について述べたように、１対の絞り部材（１対のフレームを含む）は、いずれも斜面に沿って摺動することにより、平行移動に伴う開閉動作を実現している。これに対して、摺動すべき対象は必ずしも面でなくとも良く、線状のものであってもよい。例えば、線状のレールの上を絞り部材が滑動する形態を採ったり、ピン４６が当接するスリット４９の内壁をＶ字型に突起させて、Ｖ字型突起の稜線に沿ってピン４６が摺動する形態を採ったりしても良い。
【０１２０】
図５に例示した絞り器２０４では、レバー５５の先にカム４３が固定され、レバー５５の操作により回動軸５６の周りにカム４３が回動し、それにより下フレーム５２が駆動された。これに対して、カム４３を板材あるいは棒材等に置き換えることにより、板材あるいは棒材等の例えば先端部で下フレーム５２を駆動するように、絞り器２０４を変更することも可能である。この絞り器では、操作部であるレバー５５を含めて、梃子（てこ）により、下フレーム５２を駆動するものである。また、例えば図３の絞り器２０２のカム３４とレバー３５についても、回動軸３６により連結する梃子に置き換えが可能である。これらの梃子は、本発明の「伝達機構」の一例に該当する。
【０１２１】
上記の各実施の形態では、チューブ絞り器としての使用に好適な絞り器を例示した。しかし、各実施の形態の絞り器は、例えば濡れた布を絞る絞り器としての使用など、他の用途にも使用が可能である。さらに、形状、寸法等を適宜変更することにより、濡れた布、洗濯物、その他の物を絞るのに好適な絞り器とすることも可能である。本発明の絞り器は、チューブ絞り器に好適ではあるが、それに限定されるものではない。
【符号の説明】
【０１２２】
２０１〜２１６  絞り器
１、３１、４１、５１、６１、７１、８１、９１、１０１、１１１、１２１、１３１、１６１  ケース（案内部材）
２、３２、４２、５２、６２、８２、９２、１０２、１１２  下フレーム（下絞り部材、案内部材）
３、３３、４３、８３、９３、１０３、１１３  上フレーム（上絞り部材、案内部材）
４  下ローラ（下絞り部材）
５  上ローラ（上絞り部材）
１６２、１７２、３２１  下絞り部材
１６３、１７３、３２２  上絞り部材
１７４，１７５、３３５、３３６  案内部材
１２、１３、１４５  楔（伝達機構）
１４，１５  操作部材（楔操作部材、伝達機構）
１９  ダイアル（ローラ操作部材）
２０、４７  スプリング（弾性体）
３４、５４、７４、９８、３１８  カム（伝達機構）
３５、５５、１０８  レバー（カム操作部材、伝達機構）
５７、６５、６７、１０７、１１４、１１７、１４７  レバー
１４６  レバー（楔操作部材、伝達機構）
４６、１６７  ピン（案内部材）
４９、１６８  スリット（案内部材）
６４  爪（戻り止め部材）
６８、１７７  鋸歯状突起列（戻り止め部材）
７５  ダイアル（カム操作部材、伝達機構）
１７６  係止板（戻り止め部材）
８７、９４  モータ
３１１  回動位置保持部材
【図１】
2011046433.tif 000003
【図２】
2011046433.tif 000004
【図３】
2011046433.tif 000005
【図４】
2011046433.tif 000006
【図５】
2011046433.tif 000007
【図６】
2011046433.tif 000008
【図７】
2011046433.tif 000009
【図８】
2011046433.tif 000010
【図９】
2011046433.tif 000011
【図１０】
2011046433.tif 000012
【図１１】
2011046433.tif 000013
【図１２】
2011046433.tif 000014
【図１３】
2011046433.tif 000015
【図１４】
2011046433.tif 000016
【図１５】
2011046433.tif 000017
【図１６】
2011046433.tif 000018
【図１７】
2011046433.tif 000019
【図１８】
2011046433.tif 000020
【図１９】
2011046433.tif 000021